(57)【要約】【課題】優れたアイキャッチ効果を発揮することができる化粧材を提供する。【解決手段】化粧材１は、視覚効果処理を施された第１部材１０と、第１部材１０と積層され第１部材１０の側へ向けて発光により表示を行う第２部材２０と、第１部材１０と第２部材２０との間に配置された第３部材３０と、を有する。第３部材３０の全光線透過率は、５％以上１０％以下である。【選択図】図１
2016161874.tif 000002
【特許請求の範囲】
【請求項１】
視覚効果処理を施された第１部材と、
前記第１部材と積層され、前記第１部材の側へ向けて発光により表示を行う第２部材と、
前記第１部材と前記第２部材との間に配置され、全光線透過率が５％以上１０％以下である第３部材と、を備える化粧材。
【請求項２】
第２部材が、視覚効果処理を施された視覚効果処理層と、前記第１部材が配置されている側とは反対側から前記視覚効果処理層を照明する照明装置と、を有する、請求項１に記載の化粧材。
【請求項３】
前記視覚効果処理層は、照明装置から分離可能である、請求項２に記載の化粧材。
【請求項４】
前記第１部材は、第１パターンを表示し、
前記第２部材は、少なくともその一部分の領域において前記第１パターンを補完する第２パターンを表示する、請求項１〜３のいずれか一項に記載の化粧材。
【請求項５】
前記第１部材及び前記第３部材の間、並びに、前記第３部材及び前記第２部材の間の少なくとも一方に、空隙が形成されている、請求項１〜４のいずれか一項に記載の化粧材。
【発明の詳細な説明】
【技術分野】
【０００１】
本発明は、異なる視覚効果を切り替えて表現することができる化粧材に関する。
【背景技術】
【０００２】
従来、視覚効果を表現することができる化粧材が、照明装置、サイネージ、壁紙、天井、家具等の表面材として、適用されてきた。
【先行技術文献】
【特許文献】
【０００３】
【特許文献１】特開２０１１−７３２０７号公報
【発明の概要】
【発明が解決しようとする課題】
【０００４】
このような化粧材は、ますます需要が高まっており、さらなるアイキャッチ効果の改善が要求されている。本発明は、このような要望に応えるものであり、優れたアイキャッチ効果を発揮することができる化粧材を提供することを目的とする。
【課題を解決するための手段】
【０００５】
本発明による化粧材は、
視覚効果処理を施された第１部材と、
前記第１部材と積層され、前記第１部材の側へ向けて発光により表示を行う第２部材と、
前記第１部材と前記第２部材との間に配置され、全光線透過率が５％以上１０％以下である第３部材と、を備える。
【０００６】
本発明による化粧材において、第２部材が、視覚効果処理を施された視覚効果処理層と、前記第１部材が配置されている側とは反対側から前記視覚効果処理層を照明する照明装置と、を有するようにしてもよい。
【０００７】
本発明による化粧材において、前記視覚効果処理層は、照明装置から分離可能であるようにしてもよい。
【０００８】
本発明による化粧材において、前記第１部材は、第１パターンを表示し、前記第２部材は、少なくともその一部分の領域において前記第１パターンを補完する第２パターンを表示するようにしてもよい。
【０００９】
本発明による化粧材において、前記第１部材及び前記第３部材の間、並びに、前記第３部材及び前記第２部材の間の少なくとも一方に、空隙が形成されていてもよい。
【発明の効果】
【００１０】
本発明によれば、優れたアイキャッチ効果を発揮することができる。
【図面の簡単な説明】
【００１１】
【図１】図１は、本発明の一実施の形態を説明するための図であり、化粧材を示す斜視図である。
【図２】図２は、図１のＩＩ−ＩＩ線に沿った断面図である。
【図３】図３は、図１の化粧材に含まれる第１部材を示す平面図である。
【図４】図４は、図１の化粧材に含まれる第２部材を示す平面図である。
【図５】図５は、第２部材が発光した状態で図１の化粧材を示す平面図である。
【発明を実施するための形態】
【００１２】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１３】
図１〜５は、本発明の一実施の形態を説明する図であって、化粧材１及びその構成要素を示す図である。化粧材１は、例えば、照明装置、壁紙、天井材、サイネージ等に用いられる。この化粧材１は、複数の視覚効果を切り替えて表示することができ、これにより、優れたアイキャッチ効果を発揮し得るよう、工夫されている。
【００１４】
図１に示すように、化粧材１は、第１部材１０と、第１部材１０に対向して配置された第２部材２０と、第１部材１０及び第２部材２０の間に配置された第３部材３０と、を有している。図示された例において、第１部材１０、第２部材２０及び第３部材３０は、いずれもパネル状の部材として形成されている。このような化粧材１は、サイネージとして好適に用いられる。
【００１５】
第１部材１０は、視覚効果処理を施されている。視覚効果処理とは、部材をその表側面から観察する観察者が、視覚的に認識できる何等かの処理である。例えば、図形、パターン、デザイン、色彩、絵、写真、キャラクターなどの絵柄（イメージ）や、文字、マーク、数字などの情報を、表示対象物として、設けることである。絵柄や情報は、モノクロの濃淡で表示されるようにしてもよいし、カラーで表示されるようにしてもよい。また、視覚効果処理は、印刷技術を利用して部材表面に表示物を設けること以外にも、部材表面に凹凸形状をつけて視覚効果、例えば質感を表現し得るようにしてもよい。さらに、ホログラムをなす光学的な干渉縞を形成して、ブラッグ条件を満たす特定方向からの入射光により、像が再生されるようにしてもよい。
【００１６】
図２に示すように、第１部材１０は、対向する一対の主面１０ａ，１０ｂを有している。図示された例では、観察者側となる表側面１０ａに、市松模様が形成されている。すなわち、図３に示すように、図示された第１部材１０による視覚効果は、市松模様を表示することである。具体的な構成として、図２に示すように、第１部材１０は、第１基材１１と、第１基材１１上に印刷等によって形成された第１視覚処理層１２と、を有している。図３に示すように、第１視覚処理層１２は、色彩の異なる第１領域１２ａ及び第２領域１２ｂを規則的に配列してなる市松模様としての第１パターンｐ１を表示している。一方、第１基材１１の一具体例として、ポリエチレンテレフタレートからなる無色透明な樹脂層を例示することができる。
【００１７】
第１部材１０は、全体として、可視光透過性を有しており、例えば３０％以上９５％以下の可視光透過率を有している。可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。
【００１８】
第１部材１０が可視光透過性を有していることから、表側面１０ａに代えて又は表側面１０ａに加えて、観察者側とは反対側となる裏側面１０ｂに、視覚効果処理が施されていてもよい。この場合、表側面１０ａから第１部材１０に入射して、裏側面１０ｂで反射した光によって、視覚効果を表現することができる。
【００１９】
次に、第２部材２０は、発光により表示を行う装置である。第２部材２０は、例えば、発光光量の面内分布を生じさせることにより、発光波長に面内分布を生じさせることにより、発光光量の面内分布及び発光波長の面内分布の両方を生じさせることにより、図形、パターン、デザイン、色彩、絵、写真、キャラクターなどの絵柄（イメージ）や、文字、マーク、数字などの情報を表示する。表示は、モノクロの濃淡で行われてもよいし、カラーで行われてもよい。さらに、表示は、静止画であってもよいし、動画であってもよい。第２部材２０の一例として、液晶表示装置、有機ＥＬ表示装置、電子ペーパー表示装置等を例示することができる。一方、図示された第２部材２０は、図１及び図２に示すように、視覚効果シート２１と、裏側面２１ｂから視覚効果シート２１を照明する照明装置２５と、を有している。
【００２０】
視覚効果シート２１は、照明装置２５よりも第１部材１０に近接する側に配置されている。視覚効果シート２１の表側面２１ａは、第２部材２０の第１部材１０側を向く表側面２０ａを形成している。視覚効果シート２１は、視覚効果処理を施されたシート状の部材である。図示された例では、図４に示すように、観察者側となるこの表側面２１ａに、市松模様およびアルファベットの文字「Ｄ」が形成されている。視覚効果シート２１は、その裏側面２１ｂが照明装置２５の発光面２５ａに重なるようにして、照明装置２５と積層されている。
【００２１】
具体的な構成として、視覚効果シート２１は、第２基材２２と、第２基材２２上に印刷等によって形成された第２視覚効果処理層２３と、を有している。第２基材２２の一具体例として、ポリエチレンテレフタレートからなる無色透明な樹脂層を例示することができる。図４に示すように、第２視覚効果処理層２３は、色彩の異なる第３領域２３ａ及び第４領域２３ｂを規則的に配列してなる市松模様としての第２パターンｐ２を表示している。第２パターンｐ２は、第１部材１０及び第２部材２０が積層された状態で、第１部材１０の第１パターンｐ１と対向する領域の全域に形成されている。そして、第２パターンｐ２の一部分上に、文字「Ｄ」が表示されている。
【００２２】
ここで、第２パターンｐ２は、第１パターンｐ１を補完するパターンとなっている。第１パターンｐ１を補完するパターンとは、第１パターンｐ１と重なることによって、第１パターンｐ１を消失させるように機能するパターン、言い換えると、無地化させるように機能するパターンのことである。図４に示された例において、第２パターンｐ２の第３領域２３ａは、図３に示された第１パターンｐ１の第１領域１２ａに対面する位置に区画されている。また、第２パターンｐ２の第４領域２３ｂは、第１パターンｐ１の第２領域１２ｂに対面する位置に区画されている。そして、第２パターンｐ２の第３領域２３ａは、第１パターンｐ１の第２領域１２ｂと同様の色彩を有し、第２パターンｐ２の第４領域２３ｂは、第１パターンｐ１の第１領域１２ａと同様の色彩を有している。この結果、図５に示すように、第１視覚効果処理層１２と第２視覚効果処理層２３とが重なって視認される場合、第１パターンｐ１及び第２パターンｐ２が消失して生じた無地の面上にアルファベットの文字「Ｄ」が観察されるようになる。
【００２３】
視覚効果シート２１は、全体として、可視光透過性を有しており、例えば３０％以上９５％以下の可視光透過率を有している。したがって、視覚効果シート２１の表側面２１ａに加えて又は表側面２１ａに代えて、観察者側とは反対側となる裏側面２１ｂに、表示物が形成されていてもよい。この場合、表側面２１ａから視覚効果シート２１に入射して、裏側面２１ｂで反射した光によって、表示物が観察されるようになる。
【００２４】
照明装置２５は、発光面２５ａから発光して視覚効果シート２１を照明する発光状態と、発光を停止して視覚効果シート２１を照明していない非発光状態と、を切り替え可能となっている。照明装置２５として、面状に発光するバックライトと呼ばれる既知の種々の装置を用いることができる。例えば、導光板と導光板の側方に配置された光源とを含むエッジライト型バックライトや、拡散板等の光学シートと光学シートの直下に配置された光源とを含む直下型バックライトを、照明装置２５として、用いることができる。さらに、照明装置２５として、視覚効果シート２１に向けて光を照射する光源を用いることができる。
【００２５】
ところで、第２視覚効果処理層２３を含む視覚効果シート２１が、照明装置２５から分離可能であり、他の視覚効果シートと取り替え可能となっていることが好ましい。この場合、第２部材２０による表示対象を変更することが可能となり、化粧材１の意匠性を向上させることができる。
【００２６】
次に、第３部材３０について説明する。第３部材３０は、第２部材２０が発光していない状態で、第２部材２０の表示を隠蔽する機能を有している。この機能を有効に発現するため、第３部材３０の全光線透過率は、５％以上１０％以下となっている。このような第３部材３０として、拡散粒子を含有した樹脂フィルムを用いることができ、典型的には、拡散粒子を含有した白色ポリエチンレンテレフタレートフィルムを用いることができる。この白色ポリエチンレンテレフタレートフィルムは、拡散粒子の粒径、粒形状、含有量等を変化させることにより、全光線透過率を調整することが可能となる点において好ましい。
【００２７】
第３部材３０は、接着材や粘着材を用いて、第１部材１０及び第２部材２０の少なくとも一方と接合されていてもよい。これにより、化粧材１の取り扱い性を改善することができる。その一方で、第３部材３０は、第２部材２０による表示をより安定して隠蔽する観点から、第１部材１０及び第２部材２０の少なくとも一方との間に空隙ｖを形成するようにしてもよい。空隙ｖを形成することにより、第１部材１０と第２部材２０との間を進む光がより強く拡散されることになる。この場合、第２部材２０による表示を実現させる第２視覚効果処理層２３での反射光、すなわち、表側面１０ａから入射して第２視覚効果処理層２３で反射し、再度、表側面１０ａから出射する光が低減され、第２部材２０による表示を第３部材３０でより安定して隠蔽することが可能となる。
【００２８】
図２に示すように、図示された例では、第３部材３０の表側面３０ａが、第１部材１０の表側面１０ａに接合し、第３部材３０の裏側面３０ｂは、第２部材２０の表側面２０ａから離間している。
【００２９】
次に、以上の構成からなる化粧材１の作用について説明する。
【００３０】
まず、第２部材２０が発光していない場合について説明する。図２に示すように、環境光Ｌ２１が、化粧材１の第１部材１０で、より厳密には、第１部材１０の表側面１０ａをなす第１視覚効果処理層１２で、反射する。この光Ｌ２１によって、第１視覚効果処理層１２による視覚効果が表現される。図示された例では、第１領域１２ａ及び第２領域１２ｂを規則的に配列してなる第１パターンｐ１、つまり図３に示された市松模様が、観察者によって観察されるようになる。
【００３１】
なお、表側面１０ａの側から化粧材１へ入射する一部の光は、第１部材１０及び第３部材３０を透過して、第２部材２０に達する。そして、第２部材２０で反射した光によって、第２部材２０の第２視覚効果処理層２３が表示を行う。しかしながら、ここで説明する化粧材１では、第３部材３０の全光線透過率が１０％以下となっている。そして、第２視覚効果処理層２３による視覚効果を視認化させる第２視覚効果処理層２３での反射光Ｌ２２は、第３部材３０を二回透過することになる。この結果、第２部材２０が発光していない状態において、第２視覚効果処理層２３を観察することは困難となる。結果として、第２部材２０が発光していない場合には、第１部材１０を表側面１０ａから観察した場合、第１視覚効果処理層１２によって表現される視覚効果のみを、視覚で感知することができる。
【００３２】
その一方で、第３部材３０の全光線透過率は５％以上に確保されている。したがって、第２部材２０が発光した場合には、第２部材２０の照明装置２５で発光して視覚効果シート２１を透過した光の一部分Ｌ２３が、第３部材３０及び第１部材１０を透過することができる。この光Ｌ２３によって、第１視覚効果処理層１２による表示を、視覚で感知することができる。
【００３３】
すなわち、本実施の形態によれば、第１部材１０及び第２部材２０の間に配置された第３部材３０の全光線透過率が５％以上１０％以下に調整されている。このため第２部材２０の発光の有無によって、異なる二つの視覚効果を切り替えて表現することができる。このような本実施の形態によれば、第２部材２０の発光の有無を切り替えるといった極めて簡単な操作により、意匠性を大幅に改善することが可能となる。加えて、視覚効果の表現が意外性を有し、この点から優れたアイキャッチ効果を発揮することができる。したがって、本実施の形態による化粧材１は、サイネージとして極めて有効に機能する。
【００３４】
また本実施の形態によれば、第１部材１０は、第１パターンｐ１を表示し、第２部材２０は、少なくともその一部分の領域において第１パターンｐ１を補完する第２パターンｐ２を表示する。したがって、第２部材２０が発光した場合、第１部材１０の第１パターンｐ１と第２部材２０の第２パターンｐ２とが重なる領域では、第１パターンｐ１が目立たなくなる。したがって、第２部材２０の発光の有無によって、化粧材１によって表示される意匠を大きく変化させることができる。すなわち、本実施の形態の化粧材１によれば、極めて簡単な構成により、大きく異なる二つの視覚効果を切り替えて表現することができる。
【００３５】
とりわけ本実施の形態では、第２部材２０の視覚効果シート２１は、第２パターンｐ２に加えて更に別の表示を行うことができる。したがって、第２部材２０を発光した場合には、無地化した面上に別の表示、図示された例では文字「Ｄ」が、表示されることになる。すなわち、第２部材２０が発光した場合には、第１パターンｐ１とは関連の薄い情報を明瞭に表示することが可能となる。
【００３６】
さらに、本実施の形態では、第３部材３０及び第２部材２０の間に、空隙ｖが形成されている。この空隙ｖによれば、第３部材３０と第２部材２０との間を進む光を効果的に拡散することができる。したがって、第２部材２０が発光していない場合に、第２部材２０で反射した光が視認されること、すなわち、第２部材２０による表示が視認されることを効果的に防止することができる。
【００３７】
さらに、本実施の形態によれば、第２部材２０が、視覚効果処理を施された第２視覚効果処理層２３と、第１部材１０が配置されている側とは反対側から視覚効果処理層２３を照明する照明装置２５と、を有する。そして、第２視覚効果処理層２３は、照明装置２５から分離可能である。したがって、第２視覚効果処理層２３を取り替えることにより、発光した状態で観察される表示対象を変更することができる。
【００３８】
なお、上述した実施の形態に対して様々な変更を加えることが可能である。以下、変形の一例について説明する。
【００３９】
上述した実施の形態では、第２部材２０の第２パターンｐ２が、第１部材１０の第１パターンｐ１を補完するパターンである例を示したが、これに限られず、第２パターンｐ２が第１パターンｐ１と関連性の少ない又は関連性の無いパターンであってもよい。また、第２部材２０の第２パターンｐ２が、第１部材１０の第１パターンｐ１に対面する領域の全域に形成されている例を示したが、この例に限られず、第２部材２０の第２パターンｐ２が、第１部材１０の第１パターンｐ１に対面する領域の一部のみに形成されていてもよい。さらに、上述した実施の形態において、第３部材３０及び第２部材２０の間に空隙ｖが形成されている例を示したが、この例での空隙に代えて又はこの例での空隙に加えて、第１部材１０及び第３部材３０の間に空隙が形成されてもよい。
【実施例】
【００４０】
以下、実施例を用いて本発明をより詳細に説明するが、本発明はこの実施例に限定されるものではない。
【００４１】
〔サンプル〕
以下に説明するようにして、化粧材１に関するサンプル１〜４を作成した。各サンプルは、上述した実施の形態における第１部材１０、第３部材３０及び第２部材２０の視覚効果シート２１を、この順で含むようにした。第１部材１０、第３部材３０及び視覚効果シート２１は、互いに接触するようにして、積層した。サンプル１〜４の間で、第１部材１０及び視覚効果シート２１は互いに同一とした。サンプル１〜４の間で、第３部材３０のみを異なるものとした。
【００４２】
第１部材１０は、上述した実施の形態と同様に、透明なポリエチレンテレフタレートフィルムに白黒の市松模様を全面に印刷した。視覚効果シート２１は、透明なポリエチレンテレフタレートフィルムに白黒の市松模様を全面に印刷した。視覚効果シート２１の市松模様は、第１部材１０の市松模様を補完するパターンとした。視覚効果シート２１の市松模様を印刷された面が、第１部材１０の市松模様を印刷されていない面を向くようにして、第１部材１０及び第２部材２０を積層した。第３部材３０は、拡散粒子を含有した白色ポリエチレンテレフタレートフィルムとした。各サンプルに用いた白色ポリエチレンテレフタレートフィルムは、互いに異なる全光線透過率を有していた。各サンプルの第３部材３０として用いた白色ポリエチレンテレフタレートフィルムについて、全光線透過率Ｔｔおよび拡散光線透過率Ｔｄの測定値を表１に示す。
【００４３】
〔評価方法〕
照度が１０００〔ｌｘ〕の環境下で、各サンプルを第１部材１０の側から目視し、視覚効果シート２１が視認されるか否かを確認した。確認結果を表１に示す。表１に示すように、第３部材３０の全光線透過率が１０％以下となっている場合、視覚効果シート２１の市松模様の存在を確認することはできなかった。一方、全光線透過率が１１．７％である第３部材３０を用いたサンプル２では、注意深く観察することにより、視覚効果シート２１の市松模様の存在をうっすらと確認することができた。全光線透過率が２０．１％である第３部材３０を用いたサンプル１では、第１部材１０及び第２部材２０越しに、視覚効果シート２１の市松模様の存在がはっきりと確認された。
【００４４】
また追加評価として、各サンプルについて、照度が１０００〔ｌｘ〕の環境下で、第３部材３０と視覚効果シート２１との間に４ｍｍの空隙を形成した状態にて、第１部材１０の側から目視して視覚効果シート２１が視認されるか否かを確認した。表１に結果を示すように、サンプル１〜３では、視覚効果シート２１の市松模様の存在を確認することができなかった。一方、サンプル４では、注意深く観察することにより、視覚効果シート２１の市松模様の存在をうっすらと確認することができた。追加評価により、空隙ｖを形成することが、第２部材２０の表示の不可視化に有効であることが確認された。
【００４５】
なお、表１の「評価結果」及び「追加評価結果」の欄では、視覚効果シート２１の市松模様の存在を確認することはできなかったサンプルに「○」を付し、注意深く観察することにより、視覚効果シート２１の市松模様の存在をうっすらと確認することができたサンプルに「△」を付し、第１部材１０及び第２部材２０越しに、視覚効果シート２１の市松模様の存在がはっきりと確認されたサンプルに対して「×」を付した。
【００４６】
【表１】
2016161874.tif 000003
【符号の説明】
【００４７】
１      化粧材
１０    第１部材
１０ａ  表側面
１０ｂ  裏側面
１１    第１基材
１２    第１視覚効果処理層
１２ａ  第１領域
１２ｂ  第２領域
２０    第２部材
２０ａ  表側面
２１    視覚効果シート
２１ａ  表側面
２１ｂ  裏側面
２２    第２基材
２３    第２視覚効果処理層
２３ａ  第３領域
２３ｂ  第４領域
２５    照明装置
２５ａ  発光面
３０    第３部材
３０ａ  表側面
３０ｂ  裏側面
ｖ      空隙
ｐ１    第１パターン
ｐ２    第２パターン
【図１】
2016161874.tif 000004
【図２】
2016161874.tif 000005
【図３】
2016161874.tif 000006
【図４】
2016161874.tif 000007
【図５】
2016161874.tif 000008